(57)【要約】【課題】簡単にチューブを上記排水パイプに固定することができる新規な排水パイプ固定用チューブを提案する。【解決手段】可撓性を有するフィルムにより成形されてなるチューブ本体２と、このチューブ本体２の一端側の外周面に一側側が貼付され他側側は該チューブ本体２の先端よりも延長されてなる一方の接着テープ３と、上記チューブ本体２の一端側の外周面に一側側が貼付され他側側は該チューブの先端よりも延長されてなる他方の接着テープ４と、一面には上記一方の接着テープ３の延長された部位が貼付され他面は上記他方の接着テープ４の延長された部位が貼付されてなる剥離シート５と、を備えてなる。【選択図】        図１
2006342571.tif 000002
【特許請求の範囲】
【請求項１】
可撓性を有するフィルムにより成形されてなるチューブ本体と、
このチューブ本体の一端側の外周面に一側側が貼付され他側側は該チューブ本体の先端よりも延長されてなる一方の接着テープと、
上記チューブ本体の一端側の外周面に一側側が貼付され他側側は該チューブの先端よりも延長されてなる他方の接着テープと、
上記一方の接着テープと他方の接着テープとの延長された部位の接着面に貼付されてなる剥離シートと、
を備えてなることを特徴とする排水パイプ固定用チューブ。
【請求項２】
前記剥離シートは、一面には前記一方の接着テープの延長された部位の接着面が貼付され、他面には前記他方の接着テープの延長された部位の接着面が貼付されてなる単一の剥離シートであることを特徴とする請求項１記載の排水パイプ固定用チューブ。
【請求項３】
前記剥離シートは、一面に前記一方の接着テープと他方の接着テープとの延長された部位に接着されてなる単一の剥離シートであることを特徴とする請求項１記載の排水パイプ固定用チューブ。
【請求項４】
前記剥離シートは、前記一方の接着テープの延長された部位の接着面に貼付されてなる一方の剥離シートと、前記他方の接着テープの延長された部位の接着面に貼付されてなる他方の剥離シートとからなり、
上記一方の接着テープの左端には、前記チューブ本体の外周面に貼付されていない左側非貼付部を有し、該一方の接着テープの右端には、該チューブ本体の外周面に貼付されていない右側非貼付部を有し、上記左側非貼付部及び右側非貼付部には、それぞれ前記一方の剥離シートとは別体の補助剥離シートがそれぞれ貼付されてなることを特徴とする請求項１記載の排水パイプ固定用チューブ。
【請求項５】
前記一方の接着テープの長さは、前記チューブ本体の半周の長さとされ、前記他方の接着テープの長さは、上記一方の接着テープの長さよりも短く、上記一方の接着テープの一端と上記他方の接着テープの他端とは離間してなるとともに、該一方の接着テープの他端と上記他方の接着テープの一端とは離間してなることを特徴とする請求項１，２又は３記載の何れかの排水パイプ固定用チューブ。
【請求項６】
前記一方の接着テープの長さは、前記一方の接着テープがチューブ本体の外周面に接着されている部位の一端と上記他方の接着テープの他端とは離間してなるとともに、該一方の接着テープがチューブ本体の外周面に接着されている部位の他端と上記他方の接着テープの一端とは離間してなることを特徴とする請求項４記載の排水パイプ固定用チューブ。
【発明の詳細な説明】
【技術分野】
【０００１】
本発明は、例えば、戸建住宅や集合住宅等に設けられたベランダ等の排水管に一時的に取り付けられる排水パイプ固定用チューブに関するものである。
【背景技術】
【０００２】
戸建住宅や集合住宅には、二階部分又は三階部分にベランダが設けられる場合が多く、これらのベランダには、雨水や草木への散水を排水する排水パイプが固定されている。こうした排水パイプは、上記ベランダに埋設されるものであり、下端は上記ベランダの下面から下方に突出している。そして、この排水パイプは、雨樋やチェーン等の先端が固定され、上記ベランダに降り注いだ雨水等は、上記排水パイプを経て雨樋又はチェーン等を介して地上に排水される。しかし、こうした雨樋やチェーン等は、上記戸建住宅や集合住宅の建設過程においては、上記雨樋やチェーン等の施工は、上記ベランダの施工が完成した後であることは勿論、最終工程に近い段階で行われるものであり、建設途中で雨が降った場合には、上記ベランダからの雨水は、上記排水パイプから滴り落ちることとなり、階下の部材を濡らすことになる。そこで、従来、上述した雨樋やチェーン等を施工する前段階において、上記排水パイプからの雨水を排水するために、ビニルチューブの先端を接着テープによりに該排水パイプの下端に固定している。
【発明の開示】
【発明が解決しようとする課題】
【０００３】
しかしながら、上述した作業は、高所における作業であり、ビニルチューブを片手で把持しながら、接着テープを所望の長さに切断し、その上で該ビニルチューブを巻き付けるものであることから、極めて面倒であり危険性も伴う。
【０００４】
そこで、本発明は、上述した従来のビニルチューブの先端を排水パイプに固定する作業が有する課題を解決するために提案されたものであって、簡単にチューブを上記排水パイプに固定することができる新規な排水パイプ固定用チューブを提案することを目的とするものである。
【課題を解決するための手段】
【０００５】
本発明は、上述した目的を達成するために提案されたものであり、第１の発明（請求項１記載の発明）は、可撓性を有するフィルムにより成形されてなるチューブ本体と、このチューブ本体の一端側の外周面に一側側が貼付され他側側は該チューブ本体の先端よりも延長されてなる一方の接着テープと、上記チューブ本体の一端側の外周面に一側側が貼付され他側側は該チューブの先端よりも延長されてなる他方の接着テープと、上記一方の接着テープと他方の接着テープとの延長された部位の接着面に貼付されてなる剥離シートと、を備えてなることを特徴とするものである。
【０００６】
この第１の発明において、上記チューブ本体は、可撓性を有するフィルムからなるものであれば良く、その素材は特に限定されるものではなく、例えば、ビニル，ポリエチレン等を使用することができる。また、上記一方及び他方の接着テープは、基層とこの基層の一面に接着剤が塗布されている帯状のものであれば良く、所謂ビニルテープ、セロファンテープ或いはガムテープであっても良い。また、これらの接着テープは、上記チューブ本体の一端の外周面に一側側が接着され、他側側はチューブ本体の先端から延長されている必要がある。この延長長さは特に限定されるものではないが、接着テープの幅の約半分がチューブ本体に接着され残り半分がチューブ本体の先端から突出しているようにすることが望ましい。また、この第１の発明において、上記剥離シートは、上記一方の接着テープ（の延長された部位）と他方の接着テープ（の延長された部位）のそれぞれ別個に貼付されている場合であっても良いし、単一の剥離シートが一方及び他方の接着テープの接着面に貼付されているものであっても良い。なお、上記第１の発明に係る排水パイプ固定用チューブをベランダに設置された排水パイプに固定する作業を説明すると、先ず、上記一方及び他方の接着テープに接着された剥離シートを取り除き、チューブを筒状に広げ、その中に排水パイプの下端側を挿入し、上記一方又は他方の接着シートの何れかを排水パイプの側下端外周面に接着し、次いで、他方又は一方の接着シートを排水パイプの外周面に接着させる。
【０００７】
また、第２の発明（請求項２記載の発明）は、上記第１の発明において、前記剥離シートは、一面には前記一方の接着テープの延長された部位の接着面が貼付され、他面には前記他方の接着テープの延長された部位の接着面が貼付されてなる単一の剥離シートであることを特徴とするものである。
【０００８】
上記第２の発明では、剥離シートの一面には、上記一方の接着テープの延長された部位が貼付され、反対の面（他面）には、上記他方の接着テープの延長された部位が貼付されてなる単一の剥離シートからなるものであり、該単一の剥離シートを取り除くことにより、一方及び他方の接着テープの接着面が露出される。
【０００９】
また、第３の発明（請求項３記載の発明）は、前記剥離シートは、一面に前記一方の接着テープと他方の接着テープとの延長された部位に接着されてなる単一の剥離シートであることを特徴とするものである。
【００１０】
この第３の発明では、一面に一方及び他方の接着テープの接着面が貼付されているものであり、反対の面（他面）には、何らの部材が貼付されていないものである。
【００１１】
また、第４の発明（請求項４記載の発明）は、上記第１の発明において、前記剥離シートは、前記一方の接着テープの延長された部位の接着面に貼付されてなる一方の剥離シートと、前記他方の接着テープの延長された部位の接着面に貼付されてなる他方の剥離シートとからなり、上記一方の接着テープの左端には、前記チューブ本体の外周面に貼付されていない左側非貼付部を有し、該一方の接着テープの右端には、該チューブ本体の外周面に貼付されていない右側非貼付部を有し、上記左側非貼付部及び右側非貼付部には、それぞれ前記一方の剥離シートとは別体の補助剥離シートがそれぞれ貼付されてなることを特徴とするものである。
【００１２】
この第４の発明では、一方の接着テープ（の延長された部位における接着面）には一方の剥離シートが、他方の接着テープ（の延長された部位における接着面）には、上記一方の剥離シートとは別個である他方の剥離シートが貼付されているものであるが、さらに、一方の接着テープの左端には、前記チューブ本体の外周面に貼付されていない左側非貼付部を有し、該一方の接着テープの右端には、該チューブ本体の外周面に貼付されていない右側非貼付部を有し、上記左側非貼付部及び右側非貼付部には、それぞれ前記一方の剥離シートとは別体の補助剥離シートがそれぞれ貼付されていることを要する。
【００１３】
また、第５の発明（請求項５記載の発明）は、上記第１，第２又は第３の何れかの発明において、前記一方の接着テープの長さは、前記チューブ本体の半周の長さとされ、前記他方の接着テープの長さは、上記一方の接着テープの長さよりも短く、上記一方の接着テープの一端と上記他方の接着テープの他端とは離間してなるとともに、該一方の接着テープの他端と上記他方の接着テープの一端とは離間してなることを特徴とするものである。
【００１４】
この第５の発明では、他方の接着テープの長さは、上記一方の接着テープの長さよりも短く、上記一方の接着テープの一端と上記他方の接着テープの他端とは離間してなるとともに、該一方の接着テープの他端と上記他方の接着テープの一端とは離間してなることから、他方の接着テープの両端側には、上記一方の接着テープに接着された剥離シートが露出する。ここで、上記第６の発明に係る排水パイプ固定用チューブを排水パイプに固定する作業を説明すると、上記第１の発明に係る排水パイプ固定用チューブと同じように、一方又は他方の接着テープを排水パイプの外周面に接着するが、次いで行われる他方又は一方の接着テープの接着作業は、該他方又は一方の接着テープを既に接着された一方又は他方の接着テープに（一方及び他方の接着テープの離間した長さ分）両端側が重ねられるように接着する。こうした作業により、排水パイプの外径よりも大きなチューブ本体を隙間なく接着することができる。なお、上記一方の接着テープと他方の接着テープとの２つの間隔は、チューブ本体の径と配水パイプの外径との差によるが、この差が大きければ大きい程、上記間隔は長く設定することが好ましい。
【００１５】
また、第６の発明（請求項６記載の発明）は、上記第４の発明において、前記一方の接着テープがチューブ本体の外周面に接着されている部位の一端と上記他方の接着テープの他端とは離間してなるとともに、該一方の接着テープがチューブ本体の外周面に接着されている部位の他端と上記他方の接着テープの一端とは離間してなることを特徴とするものである。
【００１６】
この第６の発明では、上記一方の接着テープがチューブ本体の外周面に接着されている部位の一端と上記他方の接着テープの他端とは離間してなるとともに、該一方の接着テープがチューブ本体の外周面に接着されている部位の他端と上記他方の接着テープの一端とは離間してなることが必要であるが、一方の接着テープと他方の接着テープとの長さは、チューブ本体の径を絞ったり縮めたりすることなく、そのままの径において、これら一方及び他方の接着テープをチューブ本体の外周面に接着したと仮定した場合において、一方の接着テープを構成する左側非接着部の端部が他方の接着テープの端部と重なる長さか、或いは、重ならない長さかは任意であり、該第６の発明においては、特に限定されるものではない。
【発明の効果】
【００１７】
上記第１の発明（請求項１記載の発明）によれば、予め一方及び他方の接着テープがチューブ本体に接着されていることから、単一の又は複数の剥離シートを一方及び他方の接着テープから剥離シートを剥離し、そのまま排水パイプの外周面に接着することができる。したがって、この発明によれば、チューブを排水パイプに取り付ける際にその都度接着テープを切断する必要はなく、高所においても極めて容易に行うことができ、安全性も担保することができる。
【００１８】
また、第２の発明（請求項２記載の発明）では、剥離シートは、一面には前記一方の接着テープの延長された部位の接着面が貼付され、他面には前記他方の接着テープの延長された部位の接着面が貼付されてなる単一の剥離シートであることから、多数の剥離シートが廃棄物として発生することを抑制することができるばかりではなく、一度の操作で一方及び他方の接着テープに貼付されていた剥離シートを取り除くことができる。また、排水パイプへの固定作業の際には、先ず、一方又は他方の何れかの接着テープのみから剥離シートを剥離し、該一方又は他方の接着テープを排水パイプの外周面に接着した後に、他方又は一方の接着テープから剥離シートを剥離し、該他方又は一方の接着テープを排水パイプの外周面に貼付するという２回の作業を行うことができる。したがって、一方又は他方の接着テープを排水パイプの外周面に接着する作業中に、他方又は一方の接着テープが不用意に不適当な位置に接着されてしまう事態を有効に防止することができる。
【００１９】
また、第３の発明（請求項３記載の発明）では、剥離シートは、一面に前記一方の接着テープと他方の接着テープとの延長された部位に接着されてなる単一の剥離シートであることから、やはり、一回の作業により剥離シートを取り除くことができ、多数の剥離シートが廃棄物として発生することを抑制することができるばかりではなく、例えば、一部を一方の接着テープから剥離して作業し、次いで、残部を他方の接着テープから剥離するといったように、部分的に剥離しながら作業を進めることもできる。
【００２０】
また、第４の発明（請求項４記載の発明）では、一方の接着テープの左端には、前記チューブ本体の外周面に貼付されていない左側非貼付部を有し、該一方の接着テープの右端には、該チューブ本体の外周面に貼付されていない右側非貼付部を有し、上記左側非貼付部及び右側非貼付部には、それぞれ前記一方の剥離シートとは別体の補助剥離シートがそれぞれ貼付されてなることから、排水パイプの外周面に対する接着面が増大され、より強固にチューブ本体を固定することができる。
【００２１】
また、第５の発明（請求項５記載の発明）では、一方の接着テープの一端と上記他方の接着テープの他端とは離間してなるとともに、該一方の接着テープの他端と上記他方の接着テープの一端とは離間してなることから、排水パイプの外径とチューブ本体の径との差を吸収することができ、より一層強固に固定することができる。
【００２２】
また、第６の発明（請求項６記載の発明）では、一方の接着テープがチューブ本体の外周面に接着されている部位の一端と上記他方の接着テープの他端とは離間してなるとともに、該一方の接着テープがチューブ本体の外周面に接着されている部位の他端と上記他方の接着テープの一端とは離間してなることから、チューブ本体の径と排水パイプの外径との差が大きい場合であっても、その差を吸収し、よりチューブ本体と排水パイプとの間に隙間を生ずることなく、また確実且つ強固にチューブ本体を排水パイプに取り付けることができる。
【発明を実施するための最良の形態】
【００２３】
以下、本発明を実施するための最良の形態に係る排水パイプ固定用チューブを、図面を参照しながら詳細に説明する。
【００２４】
この（第１の）実施の形態に係る排水パイプ固定用チューブ（以下、チューブという。）１は、図１に示すように、チューブ本体２と、一方の接着テープ３と、他方の接着テープ４と、剥離シート５とから構成されている。
【００２５】
上記チューブ本体２は、ビニルを素材とするフィルムが筒状に成形されてなるものであり、後述する排水パイプＰの外径よりも大径とされている。そして、上記チューブの一端には、図１及び図２に示すように、一方の接着テープ３と他方の接着テープ４と剥離シート５が貼付されている。上記一方及び他方の接着テープ３，４は、いずれもガムテープであり、裏面には接着剤が塗布されているとともに、互いに同一の幅を有している。また、上記一方の接着テープ３は、図２に示すように、上記チューブ本体２の半周の長さと同じ長さとされ、下端側の約半分が上記チューブ本体２に貼付されている。また、上記他方の接着テープ４は、上記一方の接着テープ３よりも短く切断されてなるものであり、上記チューブ本体２の周面であって上記一方の接着テープ３が貼付されていな部位に貼付され、上記の接着テープ３の一端と他方の接着テープ４の他端とは離間し、また、該一方の接着テープ３の他端と他方の接着テープ４の一端とは離間している。そして、この他方の接着テープ４も下側の約半分が上記チューブ本体２に貼付されている。すなわち、上記チューブ本体２の一端側の外周面にそれぞれ貼付された上記一方及び他方の接着テープ３，４の上端側は、該チューブ本体２の一端よりもさらに延長されている。
【００２６】
そして、上記一方の接着テープ３と他方の接着テープ４との間であって、それぞれチューブ本体２の先端よりも延長された部位には、剥離シート５が貼付されている。この薄利シート５の長さは、上記一方の接着テープ３の長さよりも僅かに短い長さとされ、該剥離シート５の左右両側には、図１に示すように、一方の接着テープ３の裏面（接着剤が塗布された部位）が僅かに露出している。また、上記他方の接着テープ４の長さは、上述したように、一方の接着テープ３の長さよりも短いことから、該他方の接着テープ４の左右両側には、上記剥離シート５の左右両側が均等に露出している。
【００２７】
以下、上述した本実施の形態に係るチューブ１を排水パイプＰに固定する方法について説明する。先ず、図３に示すように、上記剥離シート５に貼付されている（一方又は）他方の接着テープ４を該剥離シート５から剥離し、全体を筒状に広げる。そして、下側から広げたチューブ１内に排水パイプＰを挿入し、図４に示すように、上記他方の接着テープ４を排水パイプＰの外周面に接着させる。そして、こうした作業が終了すると、次いで、上記剥離シート５を上記一方の接着テープ３から取り除き、該一方の接着テープ３の両端側が、既に貼付した他方の接着テープ４に重なるように貼付する。こうした要領で一方及び他方の接着テープ３，４を排水パイプＰの外周面に貼付することにより、隙間なく且つ強固に固定することができる。
【００２８】
このように、上記実施の形態に係る排水パイプ固定用チューブ１によれば、排水パイプＰに固定するチューブ本体２に予め一方及び他方の接着テープ３，４が接着されていることから、高所での作業においても危険性を伴わず迅速に固定することが可能となる。特に、上記実施の形態に係る排水パイプ固定用チューブ１では、他方の接着テープ４の両端側は、接着テープが接着されていない部位が存在することから、一方の接着テープ３又は他方の接着テープ４に一部重ねて接着することができ、このように接着することにより、排水パイプＰの外径とチューブ本体２の内径との差を吸収し、隙間なく接着することが可能となる。
【００２９】
なお、上記第１の実施の形態に係る排水パイプ固定用チューブ１では、チューブ本体２の素材がビニルであるが、他の素材として例えばポリエチレンであっても良いことは勿論、上記一方の接着テープ３と他方の接着テープ４とが２箇所において互いに離間する間隔も、排水パイプＰの外径とチューブ本体２の径との差により適宜設定すれば良い。また、上記実施の形態に係る排水パイプ固定用チューブ１では、剥離シート５は単一であり、一面には、上記一方の接着テープ３の接着面が接着され、他面（裏面）には、他方の接着テープ４の接着面が貼付されているが、本発明を構成する剥離シートは必ずしも単一なものに限定されず、例えば、上記一方の接着テープ３と他方の接着テープ４との双方にそれぞれ別個の剥離シートが貼付されているものであっても良い。また、単一の剥離シートを構成要素とする場合であっても、前述した実施の形態に係る排水パイプ固定用チューブ１のように、一方の接着テープ３と他方の接着テープ４とによって剥離シート５を挟む構造を採用するのではなく、同一面に上記一方及び他方の接着テープ３，４を接着したものであっても良い。
【００３０】
さらに、本発明では、全部で３枚の剥離シートを使用しても良い。図６は、第２の実施の形態に係る排水パイプ固定用チューブ（以下、チューブという。）１１を示すものであり、このチューブ１１は、チューブ本体１２と、このチューブ本体１２の先端に貼付された一方及び他方の接着テープ１３，１４と、第１ないし第３の剥離シーと１５，１６，１７とから構成されている。上記チューブ本体１２及び他方の接着テープ１４は、上記第１の実施の形態に係るチューブ１を構成するチューブ本体２及び他方の接着テープ４と同一の構成であるから説明は省略する。そして、上記一方の接着テープ１３は、帯状に成形させてなるものであり、チューブ本体１２の約半周の長さに亘って該チューブ本体１２の先端外周面に貼付されているとともに、左端側にはチューブ本体１２に貼付されていない左側非貼付部１３ａが形成され、右端側にはチューブ本体１２に貼付されていない右側非貼付部１３ｂが形成されている。換言すれば、この一方の接着テープ１３は、上記左側非貼付部１３ａと右側非貼付部１３ｂを除けば、前記第１の実施の形態に係る排水パイプ固定用チューブ１を構成する一方の接着テープ３と同一の構成である。なお、この実施の形態では、上記左側非貼付部１３ａと右側非貼付部１３ｂとの面積は同一である。
【００３１】
そして、上記一方の接着テープ１３であって、チューブ本体１２の先端よりも延長された部位の接着面には、第１の剥離シート１５が貼付され、上記左側非貼付部１３ａの接着面には、第２の剥離シート１６が貼付され、上記右側非貼付部１３ｂの接着面には、第３の剥離シート１７が貼付されている。なお、上記第１の剥離シート１５の他面（反対の面）は、上記他方の接着テープ１４の接着面が貼付される部位である。また、上記一方の接着テープ１３であって上記チューブ本体１２の外周面に貼付されている部位の左側端と、上記他方の接着テープ１４の端部との間、上記チューブ本体１２の外周面に貼付されている部位の右側端と、上記他方の接着テープ１４の端部との間は、それぞれ離間しており、それぞれの離間した長さと上記左側非貼付部１３ａ及び右側非貼付部１３ｂの長さは同一とされている。
【００３２】
したがって、上記第２の実施の形態に係るチューブ１１によれば、排水パイプＰの外周面に固定する場合、チューブ本体１２の径と排水パイプＰの外径との差が大きく異ならない場合であっても、上記左側非貼付部１３ａ及び右側非貼付部１３ｂに貼付された第２及び第３の剥離シート１６，１７を剥離して排水パイプＰの外周面に接着することができるので、排水パイプＰの外周面とチューブ本体１２の内周面との間に隙間が生ずることがない。また、この第２の実施の形態に係るチューブ１１によれば、上記左側非貼付部１３ａ及び右側非貼付部１３ｂにより、接着面積が増大されることから、排水パイプＰの外周面に吹き付けられた塗料や塵埃等により細かな凹凸が形成されている場合であっても、後に風雨などによって脱落することを有効に防止することができる。
【００３３】
なお、上記第２の実施の形態に係るチューブ１１では、第１ないし第３の剥離シート１５，１６，１７を別個のものとしたが、これらの剥離シート１５，１６，１７を図示しない一枚の剥離シートとしても良いし、さらに、上記他方の接着シート１４の接着面には、上記第１ないし第３の剥離シート１５，１６，１７又は図示しない単一の剥離シートとは別個の図示しない剥離シートが貼付されているものであっても良い。
【図面の簡単な説明】
【００３４】
【図１】実施の形態に係る排水パイプ固定用チューブを示す正面図である。
【図２】実施の形態に係る排水パイプ固定用チューブを示す背面図である。
【図３】他方の接着テープを剥離シートから剥離し、チューブ本体の一端側を広げた状態を示す斜視図である。
【図４】他方の接着シートのみを排水パイプの外周面に接着した状態を示す平断面図である。
【図５】排水パイプの外周面に排水パイプ固定用チューブを固定した後の状態を示す平断面図である。
【図６】第２の実施の形態に係る排水パイプ固定用チューブを示す斜視図である。
【符号の説明】
【００３５】
１    排水パイプ固定用チューブ
２    チューブ本体
３    一方の接着テープ
４    他方の接着テープ
５    剥離シート
１１  排水パイプ固定用チューブ
１２    チューブ本体
１３    一方の接着テープ
１３ａ    左側非貼付部
１３ｂ    右側非貼付部
１４    他方の接着テープ
１５    第１の剥離シート
１６    第２の剥離シート
１７    第３の剥離シート
Ｐ    排水パイプ
【図１】
2006342571.tif 000003
【図２】
2006342571.tif 000004
【図３】
2006342571.tif 000005
【図４】
2006342571.tif 000006
【図５】
2006342571.tif 000007
【図６】
2006342571.tif 000008